(57)【要約】【課題】複数の通行人が同時に表示装置に表示される画像を見る場合においても、他の表示装置に同一の画像を表示させる。【解決手段】通路の通行人の移動速度の代表値である代表速度を算出する速度算出部３０３と、通行人が基準表示装置と従属表示装置との間を、速度算出部３０３が算出した代表速度で移動する場合に要する時間を算出する時間算出部３０６と、従属表示装置にある表示情報を表示させる時刻を、基準表示装置に当該表示情報を表示させる時刻と時間算出部３０６が算出した時間とに基づいて決定する従属表示時刻決定部３１０とを備える。【選択図】図２
2014048321.tif 000002
【特許請求の範囲】
【請求項１】
通行人が往来する通路に設置された表示装置である基準表示装置及び従属表示装置と、
前記基準表示装置及び従属表示装置の表示を制御する表示制御装置と
を備える表示システムであって、
前記通路の通行人の移動速度の代表値である代表速度を算出する速度算出部と、
前記通行人が前記基準表示装置と前記従属表示装置との間を、前記速度算出部が算出した代表速度で移動する場合に要する時間を算出する時間算出部と、
前記従属表示装置にある表示情報を表示させる時刻を、前記基準表示装置に当該表示情報を表示させる時刻と前記時間算出部が算出した時間とに基づいて決定する従属表示時刻決定部と
を備えることを特徴とする表示システム。
【請求項２】
前記速度算出部が算出した代表速度に基づいて、前記通行人が前記基準表示装置に到達する時刻である基準到達時刻を算出する基準到達時刻算出部と、
前記従属表示時刻決定部は、前記基準到達時刻に前記基準表示装置に表示される表示情報を特定し、当該表示情報を前記従属表示装置に表示させる時刻を、前記基準到達時刻と前記時間算出部が算出した時間とに基づいて決定する
ことを特徴とする請求項１に記載の表示システム。
【請求項３】
前記基準表示装置に表示させる複数の表示情報を、当該表示情報の表示順と共に記憶する表示情報記憶部と、
前記表示情報記憶部が記憶する表示順と所定の切替時間とに基づいて、前記基準表示装置に前記表示情報記憶部が記憶する各表示情報を表示させる表示時刻を決定する基準表示時刻決定部と
を備え、
前記従属表示時刻決定部は、前記基準表示時刻決定部が決定した各表示情報の表示時刻に基づいて、前記基準到達時刻に前記基準表示装置に表示される表示情報を特定する
ことを特徴とする請求項２に記載の表示システム。
【請求項４】
前記従属表示装置は、主表示部と副表示部とを備え、
前記副表示部は、前記従属表示時刻決定部が特定した表示情報を表示し、
前記主表示部は、前記従属表示時刻決定部が特定した表示情報と異なる表示情報を表示する
ことを特徴とする請求項２または請求項３に記載の表示システム。
【請求項５】
前記基準表示装置は、前記従属表示装置より前記通行人の進行方向前方に設置されており、
前記従属表示時刻決定部は、前記従属表示装置にある表示情報を表示させる時刻を、前記基準表示装置に当該表示情報を表示させる時刻から前記時間算出部が算出した時間を減じた時刻に決定する
ことを特徴とする請求項１から請求項４の何れか１項に記載の表示システム。
【請求項６】
所定時間毎に、前記通路に設置された複数の表示装置のうち、１つの表示装置を前記基準表示装置に決定し、残りの表示装置を従属表示装置に決定する基準決定部を備えることを特徴とする請求項１から請求項５の何れか１項に記載の表示システム。
【請求項７】
前記通路の通行人それぞれの進行方向を特定する進行方向特定部を備え、
前記速度算出部は、前記進行方向特定部が特定した進行方向のうち、最も多い進行方向へ通行する通行人の代表速度を算出する
ことを特徴とする請求項１から請求項６の何れか１項に記載の表示システム。
【請求項８】
通行人が往来する通路に設置された基準表示装置及び従属表示装置の表示を制御する表示制御装置であって、
前記通路の通行人の移動速度の代表値である代表速度を算出する速度算出部と、
前記通行人が前記基準表示装置と前記従属表示装置との間を、前記速度算出部が算出した代表速度で移動する場合に要する時間を算出する時間算出部と、
前記従属表示装置にある表示情報を表示させる時刻を、前記基準表示装置に当該表示情報を表示させる時刻と前記時間算出部が算出した時間とに基づいて決定する従属表示時刻決定部と
を備えることを特徴とする表示制御装置。
【請求項９】
通行人が往来する通路に設置された基準表示装置及び従属表示装置の表示を制御する表示制御方法であって、
前記通路の通行人の移動速度の代表値である代表速度を算出するステップと、
前記通行人が前記基準表示装置と前記従属表示装置との間を、前記代表速度で移動する場合に要する時間を算出するステップと、
前記従属表示装置にある表示情報を表示させる時刻を、前記基準表示装置に当該表示情報を表示させる時刻と前記算出した時間とに基づいて決定するステップと
を有することを特徴とする表示制御方法。
【請求項１０】
通行人が往来する通路に設置された基準表示装置及び従属表示装置の表示を制御する表示制御装置を、
前記通路の通行人の移動速度の代表値である代表速度を算出する速度算出部、
前記通行人が前記基準表示装置と前記従属表示装置との間を、前記速度算出部が算出した代表速度で移動する場合に要する時間を算出する時間算出部、
前記従属表示装置にある表示情報を表示させる時刻を、前記基準表示装置に当該表示情報を表示させる時刻と前記時間算出部が算出した時間とに基づいて決定する従属表示時刻決定部
として機能させるためのプログラム。
【発明の詳細な説明】
【技術分野】
【０００１】
本発明は、通行人が往来する通路に設置された複数の表示装置の表示を制御する表示制御装置、表示システム、表示制御方法、及びプログラムに関する。
【背景技術】
【０００２】
従来、電子広告装置（「デジタルサイネージ」や「電子看板」などと呼ばれることがある）を閲覧する観覧者に、広告映像を観覧させることが知られている。
特許文献１には、以下に示す技術が記載されている。まず、電子広告装置に設けられたカメラが、広告映像を観覧する観覧者を撮像する。次に、当該撮像により取得した顔部分の画像情報と、当該観覧者が観覧した広告映像を特定する情報とを記録する。そして、他の電子広告装置において顔部分の画像の照合により観覧者が同一人物であると判断した場合に、当該観覧者が前の電子広告装置において観覧していた広告映像と同一の広告映像を表示させる。これにより、広告映像が観覧者に与えるインパクトを大きくすることができる。
【０００３】
また、特許文献２には、以下に示す技術が記載されている。まず、コンテンツ出力装置（デジタルサイネージ）の近傍を撮像する撮像装置から画像を取得し、取得した画像に対して、通行人の有無または人数等を検出するための人物認識処理を行う。次に、複数のコンテンツを人物認識処理の結果に応じて切り替えてコンテンツ出力装置に出力させる。また、人物認識処理と共に通行人の顔認識処理を行い、通行人に関する詳細な情報を得て、当該情報に応じてコンテンツを適切なものに切り替える。また、通行人の移動速度を検出し、検出された移動速度の変化に応じて複数のコンテンツを切り替えて出力することにより、通行人がコンテンツに注目しているか否かに応じて適切なコンテンツを出力する。
【先行技術文献】
【特許文献】
【０００４】
【特許文献１】特開２０１０−１１３３１４号公報
【特許文献２】特開２０１２−５８４７６号公報
【発明の概要】
【発明が解決しようとする課題】
【０００５】
しかしながら、特許文献１に記載の技術は、顔認識処理を用いて表示制御を行うことから、電子広告装置の前にいる通行人が１人である場合しか対象とならない。例えば、複数の通行人が電子広告装置に注目した場合において、当該通行人ごとに関連付けられた広告映像が異なると、電子広告装置が表示する広告映像が頻繁に切り替わってしまうおそれがある。また、顔認識処理の手順は煩雑であり、演算負荷が非常に大きい。また、特許文献２に記載の技術は、複数のコンテンツ出力装置の連携について触れていない。
【０００６】
本発明の課題は、表示装置に表示される画像を通行人に提示する場合において、通行人を簡便な手段で認識し、他の表示装置においても当該画像を当該通行人に提示することができる表示制御装置、表示システム、表示制御方法、及びプログラムを提供することにある。
【課題を解決するための手段】
【０００７】
本発明は上記の課題を解決するためになされたものであり、通行人が往来する通路に設置された表示装置である基準表示装置及び従属表示装置と、前記基準表示装置及び従属表示装置の表示を制御する表示制御装置とを備える表示システムであって、前記通路の通行人の移動速度の代表値である代表速度を算出する速度算出部と、前記通行人が前記基準表示装置と前記従属表示装置との間を、前記速度算出部が算出した代表速度で移動する場合に要する時間を算出する時間算出部と、前記従属表示装置にある表示情報を表示させる時刻を、前記基準表示装置に当該表示情報を表示させる時刻と前記時間算出部が算出した時間とに基づいて決定する従属表示時刻決定部とを備えることを特徴とする。
【０００８】
また、本発明は、前記速度算出部が算出した代表速度に基づいて、前記通行人が前記基準表示装置に到達する時刻である基準到達時刻を算出する基準到達時刻算出部と、前記従属表示時刻決定部は、前記基準到達時刻に前記基準表示装置に表示される表示情報を特定し、当該表示情報を前記従属表示装置に表示させる時刻を、前記基準到達時刻と前記時間算出部が算出した時間とに基づいて決定することを特徴とする。
【０００９】
また、本発明は、前記基準表示装置に表示させる複数の表示情報を、当該表示情報の表示順と共に記憶する表示情報記憶部と、前記表示情報記憶部が記憶する表示順と所定の切替時間とに基づいて、前記基準表示装置に前記表示情報記憶部が記憶する各表示情報を表示させる表示時刻を決定する基準表示時刻決定部とを備え、前記従属表示時刻決定部は、前記基準表示時刻決定部が決定した各表示情報の表示時刻に基づいて、前記基準到達時刻に前記基準表示装置に表示される表示情報を特定することを特徴とする。
【００１０】
また、本発明において前記従属表示装置は、主表示部と副表示部とを備え、前記副表示部は、前記従属表示時刻決定部が特定した表示情報を表示し、前記主表示部は、前記従属表示時刻決定部が特定した表示情報と異なる表示情報を表示することを特徴とする。
【００１１】
また、本発明において前記基準表示装置は、前記従属表示装置より前記通行人の進行方向前方に設置されており、前記従属表示時刻決定部は、前記従属表示装置にある表示情報を表示させる時刻を、前記基準表示装置に当該表示情報を表示させる時刻から前記時間算出部が算出した時間を減じた時刻に決定することを特徴とする。
【００１２】
また、本発明は、所定時間毎に、前記通路に設置された複数の表示装置のうち、１つの表示装置を前記基準表示装置に決定し、残りの表示装置を従属表示装置に決定する基準決定部を備えることを特徴とする。
【００１３】
また、本発明は、前記通路の通行人それぞれの進行方向を特定する進行方向特定部を備え、前記速度算出部は、前記進行方向特定部が特定した進行方向のうち、最も多い進行方向へ通行する通行人の代表速度を算出することを特徴とする。
【００１４】
また、本発明は、通行人が往来する通路に設置された基準表示装置及び従属表示装置の表示を制御する表示制御装置であって、前記通路の通行人の移動速度の代表値である代表速度を算出する速度算出部と、前記通行人が前記基準表示装置と前記従属表示装置との間を、前記速度算出部が算出した代表速度で移動する場合に要する時間を算出する時間算出部と、前記従属表示装置にある表示情報を表示させる時刻を、前記基準表示装置に当該表示情報を表示させる時刻と前記時間算出部が算出した時間とに基づいて決定する従属表示時刻決定部とを備えることを特徴とする。
【００１５】
また、本発明は、通行人が往来する通路に設置された基準表示装置及び従属表示装置の表示を制御する表示制御方法であって、前記通路の通行人の移動速度の代表値である代表速度を算出するステップと、前記通行人が前記基準表示装置と前記従属表示装置との間を、前記代表速度で移動する場合に要する時間を算出するステップと、前記従属表示装置にある表示情報を表示させる時刻を、前記基準表示装置に当該表示情報を表示させる時刻と前記算出した時間とに基づいて決定するステップとを有することを特徴とする。
【００１６】
また、本発明は、通行人が往来する通路に設置された基準表示装置及び従属表示装置の表示を制御する表示制御装置を、前記通路の通行人の移動速度の代表値である代表速度を算出する速度算出部、前記通行人が前記基準表示装置と前記従属表示装置との間を、前記速度算出部が算出した代表速度で移動する場合に要する時間を算出する時間算出部、前記従属表示装置にある表示情報を表示させる時刻を、前記基準表示装置に当該表示情報を表示させる時刻と前記時間算出部が算出した時間とに基づいて決定する従属表示時刻決定部として機能させるためのプログラムである。
【発明の効果】
【００１７】
本発明によれば、通行人を簡便に認識しつつ、当該通行人に提示される複数の表示装置の画像を同一にすることができる。
【図面の簡単な説明】
【００１８】
【図１】本発明の第１の実施形態による表示システムを示す概略図である。
【図２】本発明の第１の実施形態による表示制御装置の基本構成を示す概略ブロック図である。
【図３】本発明の第１の実施形態による表示情報記憶部及び配信時刻記憶部が記憶する情報の例を示す図である。
【図４】本発明の第１の実施形態による従属表示装置への配信時刻決定処理の動作を示すフローチャートである。
【図５】本発明の第２の実施形態による表示システムを示す概略図である。
【図６】本発明の第２の実施形態による表示制御装置の基本構成を示す概略ブロック図である。
【図７】本発明の第２の実施形態による表示情報記憶部及び配信時刻記憶部が記憶する情報の例を示す図である。
【図８】本発明の第２の実施形態による表示システムの動作例を示す図である。
【発明を実施するための形態】
【００１９】
以下、図面を参照しながら本発明の実施形態について詳しく説明する。
《第１の実施形態》
図１は、本発明の第１の実施形態による表示システムを示す概略図である。
第１の実施形態による表示システムは、複数の表示装置１００（表示装置１００−１〜表示装置１００−Ｎ）、撮像装置２００、表示制御装置３００を備える。
【００２０】
各表示装置１００は、例えば商店街の中通り、ショッピングセンターのセンター内通路、鉄道の大規模駅における仲店の並んだ通路などの、人手の多い通路Ｗ沿いに設置される。また、各表示装置１００は、ＬＣＤ（Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｃｅ）、プラズマディスプレイ、リアプロジェクションディスプレイなどの表示部１０１を備え、当該表示部１０１に表示制御装置３００から配信される表示情報を表示する。なお、表示制御装置３００による配信は、有線で行っても良いし、無線で行っても良い。表示情報の例としては、企業や店舗の広告映像などが挙げられる。
【００２１】
撮像装置２００は、表示装置１００の近傍に設置され、表示装置１００が設置された通路Ｗを往来する通行人Ｈ（通行人Ｈ１〜Ｈ４）を撮像する。なお、本実施形態において撮像装置２００は、通路Ｗの延在方向と撮像した動画像のＸ軸（横軸）とが一致するように設置されるものとする。したがって、撮像装置２００が撮像した動画像に含まれる通行人Ｈの進行方向は、動画像に対して右方向か左方向かのいずれかとなる。なお、図１においては撮像装置２００が撮像した映像において通行人Ｈ１〜Ｈ４の進行方向は全て左方向となる。
【００２２】
表示制御装置３００は、表示装置１００の表示を制御する。具体的には、表示制御装置３００は、撮像装置２００が撮像した動画像から通行人Ｈの進行方向及び移動速度の代表値（代表速度）を算出し、これらの情報に基づいて各表示装置１００に表示させる表示情報を決定する。ここで、代表値とは、平均値、中央値、最頻値など、分布（本実施形態においては移動速度の分布）の中心を示す値である。なお、撮像装置２００が撮像した画像に含まれる通行人Ｈが１人である場合、代表速度は当該通行人Ｈの移動速度となる。
【００２３】
図２は、本発明の第１の実施形態による表示制御装置３００の基本構成を示す概略ブロック図である。
表示制御装置３００は、通行人認識部３０１、進行方向特定部３０２、速度算出部３０３、基準到達時刻算出部３０４、装置情報記憶部３０５、時間算出部３０６、表示情報記憶部３０７、配信時刻記憶部３０８、基準表示時刻決定部３０９、従属表示時刻決定部３１０、配信部３１１を備える。
【００２４】
通行人認識部３０１は、撮像装置２００から動画像を取得し、当該動画像に含まれる通行人Ｈを認識する。
進行方向特定部３０２は、通行人認識部３０１が認識した通行人Ｈそれぞれの進行方向を特定する。
速度算出部３０３は、表示装置１００が設置された通路Ｗの通行人Ｈの移動速度の平均値（代表値）を算出する。
【００２５】
基準到達時刻算出部３０４は、速度算出部３０３が算出した平均移動速度に基づいて、通行人認識部３０１が認識した通行人Ｈの集団が、基準となる１つの表示装置１００（以下、基準表示装置１００Ａという）に到達する時刻（基準到達時刻）を算出する。なお、撮像装置２００が基準表示装置１００Ａと一体に設けられる場合は、基準到達時刻は、当該集団が基準表示装置１００Ａの正面にいるときの撮像時刻である。
【００２６】
装置情報記憶部３０５は、表示装置１００の識別情報に関連付けて、当該表示装置１００の設置位置を記憶する。
時間算出部３０６は、装置情報記憶部３０５が記憶する表示装置１００の設置位置に基づいて、通行人Ｈが、基準表示装置１００Ａと他の表示装置１００（以下、従属表示装置１００Ｂという）との間を速度算出部３０３が算出した平均移動速度で移動するために要する時間を算出する。例えば、基準表示装置１００Ａが表示装置１００−１である場合、時間算出部３０６は、従属表示装置１００Ｂである表示装置１００−２〜表示装置１００−Ｎについて、表示装置１００−１から当該従属表示装置１００Ｂまでを平均移動速度で移動するために要する時間を算出する。
【００２７】
次に、表示情報記憶部３０７及び配信時刻記憶部３０８について説明する。図３は、本発明の第１の実施形態による表示情報記憶部３０７及び配信時刻記憶部３０８が記憶する情報の例を示す図である。
【００２８】
図３（Ａ）に示すように、表示情報記憶部３０７は、表示順に関連付けて表示情報を記憶する。例えば、表示情報記憶部３０７は、表示順「１」に関連付けて、表示情報「○○不動産の広告映像」を記憶する。また、表示情報記憶部３０７は、表示順「２」に関連付けて、表示情報「○○ビバレッジの広告映像」を記憶する。なお、表示情報記憶部３０７が記憶する表示順は有限であり、表示順が末尾に達した場合の次の表示順は、表示順「１」である。
【００２９】
図３（Ｂ）に示すように、配信時刻記憶部３０８は、表示装置１００毎に、当該表示装置１００に配信する表示情報に関連付けて、当該表示情報を配信する配信時刻を記憶する。例えば、表示情報記憶部３０７は、表示装置１００−１に表示情報「○○不動産の広告映像」を配信する配信時刻として、００：００を記憶する。また、表示情報記憶部３０７は、表示装置１００−１に表示情報「○○ビバレッジの広告映像」を配信する配信時刻として、００：０５を記憶する。なお、表示装置は、表示情報の配信を受けたときに当該表示情報を表示部１０１に表示するので、表示情報を表示させる時刻である表示時刻は配信時刻と等しい。
【００３０】
図２に戻り、基準表示時刻決定部３０９は、表示情報記憶部３０７が記憶する表示情報及び表示順、並びに予め定められた表示情報の切替時間に基づいて、基準表示装置１００Ａへの各表示情報の配信時刻を決定し、当該配信時刻を配信時刻記憶部３０８に記録する。
従属表示時刻決定部３１０は、基準到達時刻算出部３０４が算出した基準到達時刻、時間算出部３０６が算出した時間、及び配信時刻記憶部３０８が基準表示装置１００Ａに関連付けて記憶する情報に基づいて、従属表示装置１００Ｂに表示させる表示情報及び当該表示情報の配信時刻を決定し、当該配信時刻を配信時刻記憶部３０８に記録する。
【００３１】
配信部３１１は、配信時刻記憶部３０８が記憶する情報に基づいて、表示情報記憶部３０７が記憶する表示情報を当該表示情報の配信時刻に、各表示装置１００に配信する。
【００３２】
次に、本実施形態による表示制御装置３００による従属表示装置１００Ｂへの配信時刻決定処理の動作について説明する。
なお、表示制御装置３００が従属表示装置１００Ｂへの配信時刻決定処理を行う前に、基準表示時刻決定部３０９は、予め、表示情報記憶部３０７が記憶する表示情報及び表示順、並びに予め定められた表示情報の切替時間に基づいて、基準表示装置１００Ａへの各表示情報の配信時刻を決定し、配信時刻記憶部３０８に記録しておく。具体的には、まず基準表示時刻決定部３０９は、表示順が１番の表示情報を基準となる表示装置１００へ配信する時刻を決定する。次に、基準表示時刻決定部３０９は、当該時刻に切替時間を加算した時刻を、表示順が２番の表示情報を基準表示装置１００Ａへ配信する時刻に決定する。このように基準表示時刻決定部３０９は、当該計算を各表示順の表示情報について計算することで、各表示情報の基準表示装置１００Ａへの配信時刻を決定する。
【００３３】
図４は、本発明の第１の実施形態による従属表示装置１００Ｂへの配信時刻決定処理の動作を示すフローチャートである。
まず、表示制御装置３００の通行人認識部３０１は、撮像装置２００から動画像を取得し、人物認識処理に基づき、当該動画像に含まれる通行人Ｈを認識する（ステップＳ１）。人物認識処理の手法としては、例えば動画像の１フレームから人物全体の輪郭抽出を行い、所定の人物パターンにマッチする部分を人物として認識する手法や、動画像の複数フレームの変化から所定の動作パターンにマッチする部分を人物として認識する手法などを用いることができる。また、画面上で一部重なった複数の人物を識別するようにしても良い。なお、ここでの人物認識処理は、顔認識により個人を識別して認識する必要はなく、通行人Ｈであることが認識できれば良い。したがって、この人物認識処理は、顔認識の様に煩雑でなく、かつ演算負荷も小さいので簡便である。
【００３４】
次に、進行方向特定部３０２は、通行人認識部３０１が認識した通行人Ｈそれぞれの進行方向を特定する（ステップＳ２）。これは、例えば、動画像の連続する複数フレームにおいて、通行人認識部３０１が通行人Ｈと認識した領域の変位がＸ軸に対して正方向（右方向）か負方向（左方向）かを判定することで行うことができる。
【００３５】
次に、速度算出部３０３は、進行方向特定部３０２が特定した複数の方向のうち、多いほうを特定する（ステップＳ３）。そして、速度算出部３０３は、特定した方向を進行方向とする通行人Ｈの平均移動速度を算出する（ステップＳ４）。例えば、動画像に含まれる通行人Ｈが６人である場合において、５人が右方向を進行方向とし、１人が左方向を進行方向とするとき、速度算出部３０３は、右方向を進行方向とする５人の平均移動速度を算出する。
【００３６】
次に、基準到達時刻算出部３０４は、撮像装置２００から基準表示装置１００Ａまでの距離を、速度算出部３０３が算出した平均移動速度で除算して得られる時間を現在時刻に加算することで、通行人認識部３０１が認識した通行人Ｈの集団が、基準表示装置１００Ａに到達する時刻（基準到達時刻）を算出する（ステップＳ５）。次に、時間算出部３０６は、装置情報記憶部３０５が記憶する基準表示装置１００Ａと各従属表示装置１００Ｂの設置位置に基づいて、従属表示装置１００Ｂごとに、基準表示装置１００Ａと当該従属表示装置１００Ｂとの間の距離を算出する（ステップＳ６）。この距離は、基準表示装置１００Ａと従属表示装置１００Ｂの設置位置に基づいて算出することができる。なお、上述した距離は、表示装置１００が設置されている通路Ｗが直線状であることを仮定しており、通路Ｗが直線でなく屈曲している場合、この点の補正を行うことが好ましい。次に、時間算出部３０６は、従属表示装置１００Ｂごとに、基準表示装置１００Ａまでの距離を速度算出部３０３が算出した平均移動速度で除算することで、基準表示装置１００Ａと当該従属表示装置１００Ｂとの間を移動するために要する時間を算出する（ステップＳ７）。
【００３７】
次に、従属表示時刻決定部３１０は、配信時刻記憶部３０８が基準表示装置１００Ａに関連付けて記憶する表示情報と配信時刻の組み合わせを参照し、基準到達時刻算出部３０４が算出した基準到達時刻に基準表示装置１００Ａに表示される表示情報を特定する。そして、従属表示時刻決定部３１０は、当該表示情報を、各従属表示装置１００Ｂに表示させる表示情報に決定する（ステップＳ８）。
【００３８】
次に、従属表示時刻決定部３１０は、基準到達時刻算出部３０４が算出した基準到達時刻と時間算出部３０６が算出した時間とに基づいて、各従属表示装置１００Ｂへの表示情報の配信時刻を決定する（ステップＳ９）。具体的には、従属表示装置１００Ｂが基準表示装置１００Ａより進行方向前方にある場合、基準到達時刻算出部３０４が算出した基準到達時刻に時間算出部３０６が算出した時間を加算した時刻を表示情報の配信時刻に決定する。他方、従属表示時刻決定部３１０は、従属表示装置１００Ｂが基準表示装置１００Ａより進行方向後方にある場合、基準到達時刻算出部３０４が算出した基準到達時刻から時間算出部３０６が算出した時間を減算した時刻を表示情報の配信時刻に決定する。
【００３９】
そして、従属表示時刻決定部３１０は、算出した表示情報と配信時刻の組み合わせを、従属表示装置１００Ｂごとに関連付けて配信時刻記憶部３０８に上書き記録し（ステップＳ１０）、従属表示装置１００Ｂへの配信時刻決定処理を終了する。
これにより、例えば、午前・午後の通勤時間帯や、午後の主婦の買い物の時間帯や、サラリーマンの退社後の飲食の時間帯など、時間の経過により通行人Ｈの平均移動速度が変化した場合に、従属表示装置１００Ｂに対する表示情報の配信時刻を動的に変更することができる。
【００４０】
そして、上述した従属表示装置１００Ｂへの配信時刻決定処理に並行して、配信部３１１は、表示情報の配信処理を行う。具体的には、まず配信部３１１は、配信時刻記憶部３０８から、各表示装置１００が現在表示している表示情報の次の表示情報に関連付けて記憶する配信時刻を読み出す。なお、次の表示情報が何であるかは、表示情報記憶部３０７が記憶する表示順に基づいて決定する。次に、配信部３１１は、読み出した配信時刻のうち、現在時刻より以前の時刻を示すものを特定する。そして、配信部３１１は、当該特定した配信時刻に関連付けられた表示情報を表示情報記憶部３０７から読み出し、当該表示情報を表示装置１００に配信する。各表示装置１００は、表示制御装置３００から表示情報の配信を受けたときに、当該表示情報を表示する。
【００４１】
これにより、表示制御装置３００は、簡便な人物認識処理及び方向判定処理により、複数の通行人Ｈが集団を成しているときであっても、各表示装置１００に到達したときに当該表示装置１００に表示される表示情報を、同一にして、多くの通行人Ｈに同一の表示情報を提示することができる。また、このようにして通行人Ｈは同一の表示情報を長い時間にわたり視聴することができる。
【００４２】
《第２の実施形態》
次に、本発明の第２の実施形態による表示システムについて説明する。
本発明の第２の実施形態による表示システムは、商店街のデジタルサイネージを提供するものである。
【００４３】
図５は、本発明の第２の実施形態による表示システムを示す概略図である。
第２の実施形態による表示システムは、複数の表示装置１００、撮像装置２００、表示制御装置３００を備える。ここで、表示装置１００は、商店街の店舗Ｓ（店舗Ｓ１、Ｓ２）ごとに設置される。
各表示装置１００は、主表示部１０２と副表示部１０３とを備える。主表示部１０２は、自装置が設置された店舗Ｓの広告を示す表示情報を表示する。副表示部１０３は、基準表示装置１００Ａが設置された店舗Ｓの広告を示す表示情報を表示する。
【００４４】
図６は、本発明の第２の実施形態による表示制御装置３００の基本構成を示す概略ブロック図である。
第２の実施形態による表示制御装置３００は、第１の実施形態による表示制御装置３００の構成に加えて基準決定部３１２を備え、表示情報記憶部３０７及び配信時刻記憶部３０８が記憶する情報が異なり、基準表示時刻決定部３０９及び従属表示時刻決定部３１０の動作が異なる。
【００４５】
基準決定部３１２は、所定の基準変更時間毎に、基準表示装置１００Ａとする表示装置１００及び従属表示装置１００Ｂとする表示装置１００を変更する。つまり、基準変更時間毎に、商店街の複数の店舗Ｓのうち何れかの店舗Ｓの広告が、他の表示装置１００に表示される。これにより、ある通行人Ｈに対しては１つの店舗Ｓの広告を提示しつつ、広告を提示された通行人Ｈの数を店舗Ｓごとに均等にすることができる。
【００４６】
なお、基準決定部３１２は、基準表示装置１００Ａを決定すると、当該基準表示装置１００Ａ（例えば、表示装置１００−５）より進行方向後方に設置された表示装置１００（表示装置１００−１〜表示装置１００−４）を、当該基準表示装置１００Ａに対する従属表示装置１００Ｂに決定する。基準表示装置１００Ａ（表示装置１００−５）より進行方向前方に設置された表示装置１００（表示装置１００−６〜表示装置１００−Ｎ）については、残りの表示装置１００について再度基準表示装置１００Ａを特定し、当該基準表示装置１００Ａ（例えば、表示装置１００−Ｎ）より進行方向後方かつ初めに決定した基準表示装置１００Ａより進行方向前方に設置された表示装置１００（表示装置１００−６〜表示装置１００−（Ｎ−１））を、当該基準表示装置１００Ａに対する従属表示装置１００Ｂに決定する。これにより、基準表示装置１００Ａが設置された店舗Ｓの広告を、当該店舗Ｓより進行方向後方で提示することができる。
【００４７】
図７は、本発明の第２の実施形態による表示情報記憶部３０７及び配信時刻記憶部３０８が記憶する情報の例を示す図である。
図７（Ａ）に示すように、第２の実施形態による表示情報記憶部３０７は、表示装置１００毎に、当該表示装置１００の主表示部１０２に表示させる複数の表示情報とその表示順を記憶する。例えば、表示情報記憶部３０７は、表示装置１００−１の主表示部１０２に表示させる表示情報として、表示順「１」に関連付けて、表示情報「コートの広告映像」を記憶し、表示順「２」に関連付けて、表示情報「ジャケットの広告映像」を記憶し、表示順「３」に関連付けて、表示情報「ジーンズの広告映像」を記憶する。また例えば、表示情報記憶部３０７は、表示装置１００−２の主表示部１０２に表示させる表示情報として、表示順「１」に関連付けて、表示情報「ラーメンの広告映像」を記憶し、表示順「２」に関連付けて、表示情報「カレーの広告映像」を記憶し、表示順「３」に関連付けて、表示情報「オムライスの広告映像」を記憶する。
【００４８】
図７（Ｂ）に示すように、配信時刻記憶部３０８は、表示装置１００毎に、当該表示装置１００の主表示部１０２に配信する表示情報に関連付けて、当該表示情報を配信する配信時刻を記憶し、また当該表示装置１００の副表示部１０３に配信する表示情報に関連付けて、当該表示情報を配信する配信時刻を記憶する。例えば、表示情報記憶部３０７は、表示装置１００−１の主表示部１０２に表示させる表示情報「コートの広告映像」を配信する配信時刻として、００：００を記憶する。また、表示情報記憶部３０７は、表示装置１００−１の副表示部１０３に表示させる表示情報「ラーメンの広告映像」を配信する配信時刻として、２３：５６を記憶する。
【００４９】
第２の実施形態による基準表示時刻決定部３０９は、各表示装置１００について、表示情報記憶部３０７が記憶する表示情報の配信時刻を決定し、当該表示装置１００の主表示部１０２に表示させる表示情報及びその配信時刻として、配信時刻記憶部３０８に記録する。
第２の実施形態による従属表示時刻決定部３１０は、従属表示装置１００Ｂに表示させる表示情報及び当該表示情報の配信時刻を決定し、当該従属表示装置１００Ｂの副表示部１０３に表示させる表示情報及びその配信時刻として、配信時刻記憶部３０８に記録する。つまり、従属表示装置１００Ｂの副表示部１０３は、従属表示時刻決定部３１０が特定した表示情報を表示することとなる。
【００５０】
ここで、本発明の第２の実施形態による表示システムの具体的な動作例について説明する。
図８は、本発明の第２の実施形態による表示システムの動作例を示す図である。
図８において左側の点線で囲った部分Ｔ１は、時刻ｔ１に通行人Ｈ５が、店舗Ｓ１が設置した表示装置１００−１に到達したときの状態を示す図である。図８において右側の点線で囲った部分Ｔ１は、時刻ｔ２に通行人Ｈ５が店舗Ｓ２が設置した表示装置１００−２に到達したときの状態を示す図である。
【００５１】
図８に示す画像Ｐ１〜Ｐ３は、表示装置１００−２の主表示部１０２に表示される表示情報を時系列に示したものであり、画像Ｐ１はラーメンの広告映像であって時刻ｔ１に表示される。また、画像Ｐ３はオムライスの広告映像であって時刻ｔ２に表示される。また、画像Ｐ２は、カレーの広告映像であって時刻ｔ１と時刻ｔ２の間の時刻に表示される。なお、本動作例において、表示装置１００−２は基準表示装置１００Ａであり、表示装置１００−１は、表示装置１００−２の従属表示装置１００Ｂである。
【００５２】
まず表示制御装置３００は、上述したステップＳ１〜ステップＳ５により通行人Ｈ５が基準表示装置１００Ａである表示装置１００−２に到達する時刻ｔ２を算出する。次に、表示制御装置３００は、上述したステップＳ６〜ステップＳ７により通行人Ｈ５が表示装置１００−１から表示装置１００−２まで移動するために必要な時間（ｔ２−ｔ１）を算出する。次に、表示制御装置３００は、上述したステップＳ８により、画像Ｐ３に示すように、時刻ｔ２に表示装置１００−１に表示される表示情報「オムライスの広告映像」を特定する。次に、表示制御装置３００は、上述したステップＳ９により、時刻ｔ２から、時間（ｔ２−ｔ１）を減算することで、表示情報「オムライスの広告映像」を表示装置１００−２に配信する時刻ｔ１を算出する。
【００５３】
そして、表示制御装置３００は、Ｔ１に示すように、時刻ｔ１に、表示情報「オムライスの広告映像」を表示装置１００−１に配信する。これにより、表示装置１００−１は、表示装置１００−１を設置した店舗Ｓ１についての広告である表示情報「ジャケットの広告映像」を主表示部１０２に表示し、基準表示装置１００Ａである表示装置１００−２を設置した店舗Ｓ２についての広告である表示情報「オムライスの広告映像」を副表示部１０３に表示する。そのため、表示装置１００−１は、時刻ｔ１に表示装置１００−１に到達した通行人Ｈ５に対して、表示情報「ジャケットの広告映像」と表示情報「オムライスの広告映像」を提示することができる。
なお、このとき表示装置１００−２の主表示部１０２には、Ｐ１に示すように、表示情報「ラーメンの広告映像」が表示される。
【００５４】
その後、時刻ｔ２になると、表示制御装置３００は、Ｔ２に示すように、表示情報「オムライスの広告映像」を表示装置１００−２に配信する。これにより、表示装置１００−２は、表示装置１００−２を設置した店舗Ｓ２についての広告である表示情報「オムライスの広告映像」を主表示部１０２に表示する。そのため、表示装置１００−２は、時刻ｔ２に表示装置１００−２に到達した通行人Ｈ５に対して、表示情報「オムライスの広告映像」を提示することができる。つまり、本実施形態による表示システムによれば、店舗Ｓ２に到達するまでに、通行人Ｈ５に対して店舗Ｓ２の広告映像を繰り返し提示することができる。
【００５５】
このように、第２の実施形態による表示制御装置３００は、通行人Ｈ５が平均移動速度で通路Ｗを通行した場合に、当該通行人Ｈ５が各表示装置１００に到達したときに当該表示装置１００に表示される表示情報を、同一にすることができる。このとき、表示装置１００の副表示部１０３に表示される表示情報は、当該表示装置１００より進行方向前方に存在する店舗Ｓの広告映像となる。つまり、本実施形態によれば、ある店舗Ｓの広告映像を、当該店舗Ｓより手前に設けられた表示装置１００に、連続して通行人Ｈ５に提示することができる。
【００５６】
このとき、当該店舗Ｓに設置された表示装置１００に表示される当該店舗Ｓの広告映像は、基準表示時刻決定部３０９が所定の切替時間に基づいて決定する。これにより、当該店舗Ｓに設置された表示装置１００において当該店舗Ｓの広告映像の切り替わりが頻発することを防ぐことができる。
【００５７】
以上、図面を参照してこの発明のいくつかの実施形態について詳しく説明してきたが、具体的な構成は上述のものに限られることはなく、この発明の要旨を逸脱しない範囲内において様々な設計変更等をすることが可能である。
例えば、上述した実施形態では、図２や図６に示す処理部を表示制御装置３００が備える場合について説明したが、一部の構成を他の装置が備えていても良い。例えば、各表示装置１００が表示情報記憶部３０７を備えていても良いし、データベースサーバなどの装置が各記憶部を備えていても良い。
【００５８】
また、上述した実施形態では、速度算出部３０３が平均移動速度を算出する場合を説明したが、これに限られず、例えば複数の通行人Ｈの移動速度の中央値など、他の代表値（代表速度）を算出しても良い。
【００５９】
上述の表示装置１００及び表示制御装置３００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６１】
１００…表示装置  １００Ａ…基準表示装置  １００Ｂ…従属表示装置  １０１…表示部  １０２…主表示部  １０３…副表示部  ２００…撮像装置  ３００…表示制御装置  ３０１…通行人認識部  ３０２…進行方向特定部  ３０３…速度算出部  ３０４…基準到達時刻算出部  ３０５…装置情報記憶部  ３０６…時間算出部  ３０７…表示情報記憶部  ３０８…配信時刻記憶部  ３０９…基準表示時刻決定部  ３１０…従属表示時刻決定部  ３１１…配信部  ３１２…基準決定部
【図１】
2014048321.tif 000003
【図２】
2014048321.tif 000004
【図３】
2014048321.tif 000005
【図４】
2014048321.tif 000006
【図５】
2014048321.tif 000007
【図６】
2014048321.tif 000008
【図７】
2014048321.tif 000009
【図８】
2014048321.tif 000010